(57)【要約】【課題】布製品に機能性を有する水溶性の粉体が付着した状態で圧縮することにより、粉体が溶けて粉体が機能を発揮するとともに布製品の圧縮が解けるまで布製品が何であるかが判断できないようにした水溶性固形体を提供すること。【解決手段】以下の要件を備えることを特徴とする水溶性固形物１。（イ）上記水溶性固形物１は、布帛類、布製玩具類等の布製品４と、所定の機能を有する水溶性の粉体５とを一緒に圧縮し、該布製品４に上記粉体５を付着させるとともに、外観から圧縮した布製品４が何であるか判断できないようにすること（ロ）上記水溶性の粉体５の量は、該水溶性粉体５の機能を発揮するのに必要な用法１回分に相当する量であること【洗濯図】図１【特許請求の範囲】
【請求項１】
以下の要件を備えることを特徴とする水溶性固形物。
（イ）上記水溶性固形物は、布帛類、布製玩具類等の布製品と、所定の機能を有する水溶性の粉体とを一緒に圧縮し、該布製品に上記粉体を付着させるとともに、外観から圧縮した布製品が何であるか判断できないようにすること
（ロ）上記水溶性の粉体の量は、該水溶性粉体の機能を発揮するのに必要な用法１回分に相当する量であること
【請求項２】
前記水溶性固形物は前記水溶性の粉体に加え水溶性の糊とともに圧縮した、請求項１記載の水溶性固形物。
【請求項３】
前記水溶性固形物は前記水溶性の粉体が付着した状態で圧縮された布製品を、さらに圧縮して所定の形状に成形した、請求項１又は２記載の水溶性固形物。
【請求項４】
前記水溶性の粉体の有する機能は洗濯用洗剤としての機能である、請求項１、２又は３記載の水溶性固形物。
【発明の詳細な説明】
【技術分野】
【０００１】
本発明は、水溶性固形物、詳しくは布帛類、布製玩具類等の布製品に洗濯洗剤などの機能を有する水溶性の粉体を付着させた状態で圧縮し、粉体が水に溶けて機能を発揮するとともに、布製品の圧縮が解けて布製品が何であるかが判るようにした水溶性固形物に関するものである。
【背景技術】
【０００２】
従来、玩具類を内包するように水溶性粉体（例えば、入浴剤）を固形化し、水溶性粉体が湯に溶けると中から玩具がでてくる様々な入浴剤が提案されている（例えば、特許文献１）。この入浴剤は、固形タイプの入浴剤の中におもちゃや景品などの物品を埋め込んだものである。
【特許文献１】特開平１０−３０６０２１号公報
【発明の開示】
【発明が解決しようとする課題】
【０００３】
本発明が解決しようとする問題点は、一回に使用する入浴剤の量は決まっているので、内部に収容する物品が大きくなると固形化した入浴剤等の中に収容することができない点であった。
【０００４】
本発明は、上記問題点を解決し、布帛類や布製玩具体等の布製品を圧縮して所定の形状にした布製品が一回の用法に必要な量の粉体を固形化した固形物の内部に収容できなくても、布製品に機能性を有する水溶性の粉体が付着した状態で圧縮することにより、粉体が溶けて粉体が機能を発揮するとともに布製品の圧縮が解けるまで布製品が何であるかが判断できないようにした水溶性固形体を提供することを課題とする。
【課題を解決するための手段】
【０００５】
前記課題を解決するために本発明に係る水溶性固形物は、以下の要件を備えることを特徴とする。
（イ）上記水溶性固形物は、布帛類、布製玩具類等の布製品と、所定の機能を有する水溶性の粉体とを一緒に圧縮し、該布製品に上記粉体を付着させるとともに、外観から圧縮した布製品が何であるか判断できないようにすること
（ロ）上記水溶性の粉体の量は、該水溶性粉体の機能を発揮するのに必要な用法１回分に相当する量であること
【０００６】
なお、前記水溶性固形物は前記水溶性の粉体に加え水溶性の糊とともに圧縮してもよい。
【０００７】
また、前記水溶性固形物は前記水溶性の粉体が付着した状態で圧縮された布製品を、さらに圧縮して所定の形状に成形することが好ましい。
【０００８】
さらに、前記水溶性の粉体の有する機能は洗濯用洗剤としての機能で、他の洗濯物と一緒に洗濯機に投入し、洗剤として使用するとともに圧縮した布製品が他の洗濯物の中から現われるようにしてもよい。
【発明の効果】
【０００９】
本発明によれば、一回の洗濯で使用する洗濯洗剤の量であっても、布帛類、布製玩具類等の布製品を圧縮する際に布製品に付着した状態で圧縮することにより、洗剤としての機能を発揮することができ、圧縮した状態が多少大きくても充分にその圧縮布製品が何であるかを視認することができないので、洗濯が終わるまで圧縮した布製品の形や模様が判らないので、子供に洗濯に対する関心を高めさせることができる。
【発明を実施するための最良の形態】
【００１０】
本発明に係る水溶性固形物は、布帛類、布製玩具類等の布製品と、所定の機能を有する水溶性の粉体とを一緒に圧縮し、該布製品に上記粉体を付着させるとともに、外観から圧縮した布製品が何であるか判断できないようにするとともに、上記水溶性の粉体の量は、該水溶性粉体の機能を発揮するのに必要な用法１回分に相当する量にした。
【実施例１】
【００１１】
図１は、本発明に係る水溶性固形物の一例を示し、この水溶性固形物１は封入体２に封入され、この封入体２とともにパッケージ３に収容された状態で消費者に提供されるようになっているものである。
【００１２】
上記水溶性固形物１は布帛類、布製玩具等の布製品４と、所定の機能性を有する水溶性の粉体（本実施例では、粉体の有する機能は洗濯用洗剤としての機能）５とから構成され（図２（ａ）参照）、この布製品４に粉体５を付着又は布製品４で粉体５を包み込んだ状態で一旦仮圧縮し、さらに圧縮して、図２（ｃ）に示すように、所定の形状（例えば、ドラムやコケシ状）に圧縮成形することにより形成されるものである。
【００１３】
なお、上記粉体５を洗濯用洗剤で構成した場合は、粉体５の量は一回の洗濯に要する量（３０グラム程度）であればよい。
【００１４】
また、上記封入体２は水溶性を有し、水中で溶けて封入した水溶性固形物１が現われるようにしてもよいし、封入体２が水溶性を備えていないものであればユーザーが破いて中から水溶性固形物１を取り出してもよい。
【００１５】
なお、図３（ａ）〜（ｃ）に示すように、粉体５に液体又は粉体の糊６を加え、布製品４に粉体５を確実に付着するようにしても構わない。
【００１６】
次に、上記水溶性固形物１の使用態様について説明する。
【００１７】
先ず、図３（ａ）に示すように、水溶性固形物１が内包された状態の封入体２を洗濯機１０内に投入し、洗濯機を作動させる。洗濯槽の中で封入体２が溶け、水溶性固形物１が現われる。この水溶性固形物１はやがて洗濯物と一緒に攪拌されながら圧縮した布製品４から洗濯用洗剤が分離して水中に溶けて洗濯用の洗剤としての機能を発揮する。一方圧縮された布製品４’は水を含んで軟らかくなるとともに洗濯槽内で他の洗濯物と一緒に攪拌され、徐々に圧縮状態が解けて圧縮前の布製品４に戻る。
【００１８】
洗濯が終了して洗濯機１０から洗濯物を取り出すとき、入れた筈のない布製品４が他の洗濯物に混じって取り出されるので、洗濯が終わって、図３（ｂ）に示すように、洗濯機から取り出して見ると布製品４が何であったかが判るので、洗濯が終わって洗濯物を取り出すまではユーザーには水溶性固形物１を構成する布製品４が何であるかが判らず、何が入っているのか知りたくて子供が洗濯に興味を持つように仕向けることができる。
【００１９】
なお、上述の水溶性固形物では水溶性の粉体として洗濯用洗剤を用いた場合について説明したが、この粉体は洗濯用洗剤に限定されるものではなく、入浴剤であっても構わない。
【図面の簡単な説明】
【００２０】
【図１】本発明に係る水溶性固形物の一例を示す斜視図
【図２】（ａ）〜（ｃ）は上記水溶性固形物の製造過程の説明図
【図３】（ａ）〜（ｃ）は上記水溶性固形物の他の製造過程の説明図
【図４】（ａ）（ｂ）は上記水溶性固形物の使用態様の説明図
【符号の説明】
【００２１】
１    水溶性固形物
２    封入体
３    パッケージ
４    布製品
５    水溶性の粉体
６    水溶性の糊
【図１】
2005247917.tif 000002
【図２】
2005247917.tif 000003
【図３】
2005247917.tif 000004
【図４】
2005247917.tif 000005